(57)【要約】      （修正有）【課題】フッキングの成功率を高めることができるブレード付きのルアーを提供する。【解決手段】後端部に突設されたフックアイ２０を有するルアー本体２と、フックアイ２０に連結される留め具６０と、留め具６０を取り付けるべく中央部から外方に突出する取付部が一体形成されたブレード３と、留め具６０に連結された状態でブレード３の後面側に配置される連結環６１と、連結環６１に接続される針４と、を備える。【選択図】図１
0003225250.tif 000002
【実用新案登録請求の範囲】
【請求項１】
後端部に突設されたフックアイを有するルアー本体と、前記フックアイに連結される留め具と、前記留め具を取り付けるべく中央部から外方に突出する取付部が一体形成されたブレードと、前記留め具に連結された状態で前記ブレードの後面側に配置される連結環と、前記連結環に接続される針と、を備えるブレード付きのルアー。
【請求項２】
前記ブレードは、前記取付部よりも外周縁部側で屈曲した形状である請求項１に記載のブレード付きのルアー。
【考案の詳細な説明】
【技術分野】
【０００１】
本考案は、薄板状のブレードを備えたブレード付きのルアーに関する。
【背景技術】
【０００２】
上記ブレード付きのルアーとして、例えば、図４に示すように、魚を模した形状のルアー本体７０と、ルアー本体７０の尾部に連結されるフィン７１と、フィン７１をルアー本体７０に連結するための連結部７２とを備えたフィン付きのルアー７が知られている（特許文献１参照）。
【０００３】
ルアー本体７０の尾部にはフィン７１用の留め具７００が突設されており、この留め具７００には連結部７２を介してフィン７１が連結される。さらに、ルアー本体７０の腹部には針用の留め具７０１が突設されている。
【０００４】
前記フィン付きのルアー７によれば、ルアー本体７０の尾部に連結されているフィン７１の動きや反射光等によって魚の興味を惹くことができるため、魚がバイトする機会が増えるとされている。
【先行技術文献】
【特許文献】
【０００５】
【特許文献１】仏国特許出願公開第３０４６５２４号公報
【考案の概要】
【考案が解決しようとする課題】
【０００６】
ところで、上記従来のフィン付きのルアー７では、フィン７１によって魚の興味を惹くことができる一方で、ルアー本体７０には腹部にしか針が連結されていないため、フィン７１をめがけてバイトした魚の口に針が含まれにくく、釣り人がアタリを感じてフッキングしても魚の口からルアー７が抜けてしまうことがある。
【０００７】
従って、従来のフィン付きのルアー７には、フッキングの成功率が下がってしまうという問題がある。
【０００８】
そこで、本考案は、かかる実情に鑑み、フッキングの成功率を高めることができるブレード付きのルアーの提供を課題とする。
【課題を解決するための手段】
【０００９】
本考案のブレード付きのルアーは、後端部に突設されたフックアイを有するルアー本体と、前記フックアイに連結される留め具と、前記留め具を取り付けるべく中央部から外方に突出する取付部が一体形成されたブレードと、前記留め具に連結された状態で前記ブレードの後面側に配置される連結環と、前記連結環に接続される針と、を備える。
【００１０】
上記構成のブレード付きのルアーによれば、ルアー本体の後端部に連結されているブレードのさらに後方側に針が配置されるため、ブレードをめがけてルアー本体にバイトした魚の口に針を含ませ易くなる。そのため、釣り人がアタリを感じてフッキングしたときに、魚の口に針が掛かり易くなる。
【００１１】
本考案のブレード付きのルアーにおいて、前記ブレードは、前記取付部よりも外周縁部側で屈曲した形状であってもよい。
【００１２】
上記構成のブレード付きのルアーによれば、ブレードは部分的に形状が変化しているため、多方向から水の流れを受けることができるようになり、これにより、リトリーブ中にブレードの動きが止まってしまうことを防止できる。
【考案の効果】
【００１３】
以上のように、本考案のブレード付きのルアーは、フッキングの成功率を高めることができるという優れた効果を奏し得る。
【図面の簡単な説明】
【００１４】
【図１】図１は、本考案の一実施形態に係るブレード付きのルアーの外観図である。
【図２】図２は、同実施形態に係るブレード付きのルアーのブレードの説明図であり、（ａ）は背面図、（ｂ）はＩＩ−ＩＩ断面線における断面図である。
【図３】図３は、同実施形態に係るブレード付きのルアーの部分断面拡大図である。
【図４】図４は、同実施形態に係るフィン付きのルアーの説明図である。
【考案を実施するための形態】
【００１５】
以下、本考案の一実施形態にかかるブレード付きのルアー（以下、ルアーと称する）について、添付図面を参照しつつ説明する。
【００１６】
本実施形態に係るルアー１は、図１に示すように、魚に餌や外敵と見せかけるルアー本体２と、該ルアー本体２の尾部（後端部）に連結されたブレード３と、該尾部に連結された針（以下、尾針と称する）４と、ルアー本体２の腹部（中央下部）に連結された針（以下、腹針と称する）５と、ルアー本体２にブレード３及び尾針４を連結するための連結構造６と、を備えている。
【００１７】
ルアー本体２の腹部には腹針５を連結するためのフックアイ２０が設けられており、ルアー本体２の尾部にはブレード３と尾針４を連結するためのフックアイ２１が設けられている。なお、図１に示すルアー本体２は、魚を模した形状となっているが、この形状に限定されるものではない。
【００１８】
ブレード３は、図２（ａ）、図２（ｂ）に示すように、薄板状であり且つ中央部に貫通孔３００が形成されているブレード本体部３０と、連結構造６を介して尾部のフックアイ２１に取り付けるべく、貫通孔３００を跨ぐようにして該ブレード本体部３０に一体的に設けられた取付部３１とを有する。なお、ブレード３において、ブレード本体部３０と取付部３１とは一つの部材で一体的に形成されたものである。
【００１９】
ブレード本体部３０には、平板状の平板部３０１と、平板部３０１に対して屈曲した形状の屈曲板部３０２とが含まれており、前記貫通孔３００は、平板部３０１に形成されている。
【００２０】
屈曲板部３０２は、ブレード本体部３０のうち、貫通孔３００よりも外周縁部側の部位を屈曲させることによって形成されている。
【００２１】
取付部３１は、図２（ｂ）に示すように、薄板状であり、且つブレード本体部３０から外側（より具体的には、ブレード本体部３０に対する面直交方向において前方側）に向けて膨らむように湾曲した形状（円弧状）である。そのため、取付部３１とブレード本体部３０との間には、横向きに開放した開放孔３１２が形成されている。
【００２２】
尾針４は、図１に示すように、軸状の接続軸部４０と、該接続軸部４０の長手方向における一端から延出する針本体部４１とを有しており、接続軸部４０の長手方向における他端には環状の環状部４２が形成されている。
【００２３】
なお、本実施形態の尾針４は、接続軸部４０から３つの針本体部４１が延出したもの（いわゆる、トリプルフック）であるが、例えば、接続軸部４０から２つの針本体部４１が延出しているダブルフックや、接続軸部４０から１つの針本体部４１が延出しているシングルフックであってもよい。
【００２４】
腹針５もまた、軸状の接続軸部５０と、該接続軸部５０の一端から延出する針本体部５１とを有しており、接続軸部５０の長手方向における他端には環状の環状部５２が形成されている。
【００２５】
本実施形態では、腹針５もトリプルフックであるが、例えば、ダブルフックや、シングルフックであってもよい。
【００２６】
連結構造６は、図３に示すように、尾部のフックアイ２１に連結される環状の留め具６０と、該留め具６０と尾針４とを連結する連結環６１とで構成されている。留め具６０と連結環６１は、スプリットリングである。
【００２７】
留め具６０は、尾部のフックアイ２１とブレード３とを連結するように構成されており、尾部のフックアイ２１の内側と前記開放孔３１２とに挿通されている。そのため、留め具６０は、取付部３１の裏側を通るように構成されている。
【００２８】
連結環６１は、ブレード本体部３０の後面側から貫通孔３００に挿し込まれるとともに、取付部３１の後面に沿わせた状態で配置されている。また、連結環６１は、留め具６０と尾針４の環状部４２とに挿通されている。このように、連結環６１は、取付部３１の後側に部分的に収容された状態で、留め具６０と尾針４とを連結している。
【００２９】
本実施形態に係るルアー１の構成は、以上の通りである。本実施形態に係るルアー１によれば、ルアー本体２の尾部に連結されているブレード３のさらに後方側に尾針４が配置されるため、ブレード３をめがけてルアー本体２にバイトした魚の口に針を含ませ易くなる。
【００３０】
そのため、釣り人がアタリを感じてフッキングしたときに、尾針４が魚の口から外れないように掛かり易くなる。従って、ルアー１は、フッキングの成功率を高めることができるという優れた効果を奏し得る。
【００３１】
また、ブレード３は、形状が部分的に変化しているため、多方向からの水の流れを受けることができるようになるため、リトリーブ中に動きが止まってしまうことを防止できる。従って、本実施形態のルアー１は、ブレード３による魚を誘う効果が低下してしまうことを防ぐこともできる。
【００３２】
なお、本考案に係るブレード付きのルアーは、上記実施形態に限定されるものではなく、本考案の要旨を逸脱しない範囲内において種々の変更を加え得ることは勿論である。
【００３３】
上記実施形態のルアー１は、尾部に連結された尾針４と、腹部に連結された腹針５とを備えていたが、この構成に限定されるものではなく、例えば、尾針４のみを備えた構成であってもよい。
【符号の説明】
【００３４】
１…ルアー、２…ルアー本体、３…ブレード、４…尾針、５…腹針、６…連結構造、２０…フックアイ、２１…フックアイ、３０…ブレード本体部、３１…取付部、４０…接続軸部、４１…針本体部、４２…環状部、５０…接続軸部、５１…針本体部、５２…環状部、６０…具、６１…連結環、３００…貫通孔、３０１…平板部、３０２…屈曲板部、３１２…開放孔
【図１】
0003225250.tif 000003
【図２】
0003225250.tif 000004
【図３】
0003225250.tif 000005
【図４】
0003225250.tif 000006